(57)【要約】【課題】従来は外部接続でかつ、主に立方体又は直方体で構成されていたブロックにヒントを得て全く新しい接続方法及びブロック本体自体も立方体や直方体ではなく、全く違う形態を開発する。【解決手段】四角垂台のタイル１と、立方体形状のコア２と、コア２とコア２を接続するそろばん型のコネクター３からなる組立ブロックで、タイル１は四角垂台の形状の本体１１と、その中心部を貫通する接続穴１２からなり、コア２は、立方体形状で、立方体形状である本体２１と、本体の各面の中心部から外方向に延びた突起２２からなり、コネクター３は、そろばん型で、そろばん型の本体３１と、その中心部を貫通する接続穴３２からなる。タイル１の接続穴１２や、コネクター３の接続穴３２は、コア２の突起２２と相互に嵌合するように構成されており、タイル１と、コア２と、コネクター３を相互に接続して組み立てるようにしたことを特徴とする組立ブロック。 【選択図】図１
2015112120.tif 000002
【特許請求の範囲】
【請求項１】
四角垂台のタイル１と、立方体形状のコア２と、コア２とコア２を接続するそろばん型のコネクター３からなる組立ブロックで、タイル１は四角垂台の形状の本体１１と、その中心部を貫通する接続穴１２を備え、コア２は、立方体形状で、立方体形状である本体２１と、本体の各面の中心部から外方向に延びた突起２２を備え、コネクター３は、そろばん型で、そろばん型の本体３１と、その中心部を貫通する接続穴３２を備え、タイル１の接続穴１２や、コネクター３の接続穴３２は、コア２の突起２２と嵌合するように構成することで、タイル１、コア２、及び、コネクター３を相互に接続して組み立てるようにしたことを特徴とする組立ブロック。
【請求項２】
前記突起２２は、円柱形状又は、角柱形状であることを特徴とする請求項１記載の組立ブロック。
【発明の詳細な説明】
【技術分野】
【０００１】
本発明は知育玩具としての組立ブロックに関するものである。
【背景技術】
【０００２】
従来発売されているブロック玩具は主に低学年の児童を対象として開発されたもので、
ブロック一つ一つは大きく作られていた為に完成した物体は大きかった。その為に小さい物体を製作しようとしても物理的に不可能であり、ブロック同士の接続方法も条面の突起物を別のブロック下部の穴に挿入して接続するものがほとんどで、側面には突起物はないが上部には突起物があり、又下部には穴が空いているものがほとんどであった。
【０００３】
その結果複雑な物体を立体化しようとして場合において、ブロック同士を接続したときに上部に突起物がある事となり、例えば従来のブロックでビルや家などの建物を製作した場合においては一番上の部分が突起物だらけとなっていた。
【先行技術文献】
【特許文献】
【０００４】
【特許文献１】特開平１１−１９７３６９号公報
【発明の概要】
【発明が解決しようとする課題】
【０００５】
従来のブロック玩具では出来あがった構造物の上に突起があり、下部には空間があった。又、ブロック同士の接続は外部接続しか出来ない。
【課題を解決するための手段】
【０００６】
四角垂台のタイル１と、立方体形状のコア２と、コア２とコア２を接続するそろばん型のコネクター３からなる組立ブロックで、タイル１は四角垂台の形状の本体１１と、その中心部を貫通する接続穴１２を備え、コア２は、立方体形状で、立方体形状である本体２１と、本体の各面の中心部から外方向に延びた突起２２を備え、コネクター３は、そろばん型で、そろばん型の本体３１と、その中心部を貫通する接続穴３２を備え、タイル１の接続穴１２や、コネクター３の接続穴３２は、コア２の突起２２と嵌合するように構成することで、タイル１、コア２、及び、コネクター３を相互に接続して組み立てるようにしたことを特徴とする組立ブロック。
【０００７】
突起２２は、円柱形状又は、角柱形状であることを特徴とする請求項１記載の組立ブロック。
【発明の効果】
【０００８】
本発明はこれまで外部接続で立体物を造形していたブロック玩具を内部接続させる事によって、より実感的な構造物を造形出来る事である。又、ブロックを外部部品と内部接続部品に分ける事によって従来のブロックと比較して保管スペースが非常に小さくなった。
【図面の簡単な説明】
【０００９】
【図１】本発明の組立ブロックの構成
【図２】本発明の組立ブロックを組立方法
【図３】本発明の組立ブロックを使用した製作例（犬）。
【発明を実施するための形態】
【００１０】
図１は本発明の組立ブロックの構成を示す。組立ブロック４は、四角垂台のタイル１と、立方体形状のコア２と、コア２とコア２を接続するそろばん型のコネクター３からなる。
タイル１は四角垂台の形状の本体１１と、その中心部を貫通する接続穴１２からなる。この接続穴は、タイル１とコア２を接続するのに使用する。このタイル１は、立体造形物の外壁部分となる。コア２は立方体形状で、立方体形状である本体２１と、本体の各面の中心部から外方向に延びた突起２２からなる。突起２２は、図では８角柱であるが、円柱など別の形状であってもよい。コネクター３は、そろばん型で、そろばん型の本体３１と、その中心部を貫通する接続穴３２から構成される。タイル１の接続穴１２や、コネクター３の接続穴３２は、コア２の8角柱の突起２２と相互に嵌合するように構成されており、タイル１の接続穴１２や、コネクター３の接続穴３２にコア２の8角柱の突起２２を挿入すると嵌合して抜けにくく、回転しにくい構成にしている。
突起２２は、円柱形状でも角柱形状でもよい。
【００１１】
図２は本発明の組立ブロックの組立方法を示す例である。図２（ａ）の組立ブロックでは、コア２に外壁となるタイル１Ａ、１Ｂ、１Ｃが接続され、右側にコネクター３を接続している。
図２（ｂ）の組立ブロックでは、コア２に、外壁になるタイル１Ｄ、１Ｅ、１Ｆが接続されている。図２（ｃ）は、図２（ａ）の組立ブロックのコネクター３と、図２（ｂ）の組立ブロックのコアの左側の突起２２とを結合すると、図２（ｃ）の組立ブロックになる。
【００１２】
図３はタイル１、コア２、コネクター３を使用して実際に立体造形物を製作した犬の製作例で、外壁部分の上下左右には突起物がない。
【００１３】
コア２を中心にしてタイル１とコネクター３を使用して任意の造形物を製作する事が出来る。又、立体造形物以外にも家具や小物入れなどの用途として造形物を製作する事も可能である。ブロックを用いて立体構造物を製作する場合において従来のブロックでは側面はともかく上部には突起物下部には凹みがあり、造形上見栄えが悪い場合があった。そこで立体造形物をより実感的に表現する為にブロック同士を接続する方法を根本的に見直し、ブロック同士を内部接続出来るように改良を加えた。さらに従来はブロック一つ一つが立体構造をなしていたが、それを分割しタイル１と言う外壁部品、コア２と言うタイル１同士を接続する接続部品、そしてタイル１とコア２で構成される立方体を接続する為のコネクター３と言う接続部品の３つの部品に分けて内部接続及びコア２とタイル１で構成される立方体同士の接続を可能にした。この方式を取る事によってそれまでは保管する為にそれなりのスペースが必要だったブロック玩具だったがブロック自体を組立式とした結果、保管スペースを小さく出来るようになった。又、今回開発したブロックは外部接続ではなく内部接続方式を採用した事によって、このブロックを用いて製作された立体造形物は外部にブロック同士を接続する為の突起物がなくすっきりとした外観となる。その結果、玩具としてのブロックだけではなく、例えば組立式小物入れなど玩具以外の用途で使用する事も出来るようになった。
【符号の説明】
【００１４】
１    タイル
１１  本体
１２  接続穴
２    コア
２１  本体
２２  突起
３    コネクター
３１  本体
３２  接続穴
４    組立ブロック
５    組立ブロック接続例
【図１】
2015112120.tif 000003
【図２】
2015112120.tif 000004
【図３】
2015112120.tif 000005